(57)【特許請求の範囲】
【請求項１】
被測定者に適した硬さの寝具を選択する寝具の選択装置において、
立位状態の被測定者の背面の凹凸形状を測定するとともに、被測定者の身長を測定する測定手段及び被測定者の体重を測定する体重計を有する体形測定装置と、
この体形測定装置で測定された被測定者の体重と身長とから肥満度及び測定された被測定者の背面の凹凸形状から基準寸法を算出する処理部、この処理部で算出処理された上記肥満度と上記基準寸法を予め設定された設定値と比較する比較部及びこの比較部での比較に基づいて被測定者に適した硬さの寝具を選定する判定部を有する処理装置と
を具備したことを特徴とする寝具の選択装置。
【請求項２】
上記体形測定装置は、
上記被測定者が立つための足載せ部を有する基台と、
この基台に立設された支持体と、
この支持体の上下方向と交差する前後方向に沿って移動可能に設けられた検体フレームと、
この検体フレームを前後方向に駆動する駆動手段と、
上記検体フレームの上下方向に沿って所定間隔で、かつ前後方向に沿って移動可能に設けられ上記駆動手段によって検体フレームが前進方向に駆動されたときに先端が上記足載せ部に立った被測定者の背面に当たり、その背面の凹凸形状に応じて移動変位する複数の検体ロッドと、
上記被測定者の背面に当たって変位した上記検体ロッドの変位量を測定する測定手段と
を具備したことを特徴とする請求項１記載の寝具の選択装置。
【請求項３】
上記測定手段は、上記支持体の上下方向に沿って駆動可能に設けられ、上下方向に駆動されることで上記被測定者の背面に当たって変位した各検体ロッドの変位量を光学的に検出するレーザ距離計であることを特徴とする請求項２記載の寝具の選択装置。
【請求項４】
上記測定手段は、各検体ロッドに設けられその検体ロッドの変位量に応じて出力電圧が変化するポテンショメータであることを特徴とする請求項２記載の寝具の選択装置。
【発明の詳細な説明】
【０００１】
【発明の属する技術分野】
この発明は体形に適した硬さの寝具を選択するときに利用される寝具の選択装置に関する
【０００２】
【従来の技術】
一般に、ベッドはベッドフレーム及びこのベッドフレームに載置される寝具としてのマットレスとから構成されており、このベッドの性能はマットレスの硬さが利用する人の体形などに合っているか否かによって大きく左右される。
【０００３】
すなわち、利用者がマットレスに仰臥したとき、胸部と臀部との背面の接線に対して腰部を２〜３ｃｍ（立位状態の約半分）の一定の高さ（凹んだ状態）に収まるように寝たときが快適であるとされている。
【０００４】
これに対して胸部と臀部がマットレス内に極端に落ち込み、相対的に腰部が突き上げられる姿勢になると、利用者は苦痛を感じて安眠できないとされている。したがって、胸部と臀部との落ち込みを少なくするためには硬いマットレスがよいことになる。
【０００５】
しかしながら、マットレスが硬すぎると胸部と臀部との落ち込みは少ないが、これらの部位だけによって身体が支えられることになるから、胸部と臀部とに圧力が集中してやはり寝心地がよくないということになる。
【０００６】
ところで、寝心地のよいマットレスを選択するために、単に硬いマットレス、柔らかいマットレスというような判断でマットレスを選択しても、そのマットレスを利用する人の体格や体重などの条件によって胸部や臀部の落ち込み量が異なってくる。したがって、マットレスの良否は、マットレスが硬いとか柔らかいというようなことだけでなく、マットレスの硬さがそのマットレスを利用する人の体格や体重に適合しているか否かによって決まるから、そのような基準で利用者に適したマットレスを選択する必要がある。
【０００７】
そこで、本件出願人は特許第２５１２１３４号に示されるマットレスの選択装置を提案した。この特許の装置は上面に被測定者（利用者）が横たわる測定用マットレスを有する。この測定用マットレスには被測定者が横たわったときに加わる圧力の分布状態を電気的に検出する検出素子が設けられ、この検出素子からの検出信号による測定用マットレスの変形状態を、最適な変形状態とともに表示部に表示することで、これらの表示から被測定者に適した硬さのマットレスを選択することができるようにしている。
【０００８】
しかしながら、このような装置によると、被測定者の体形に応じた圧力分布を測定するために、被測定者は測定用マットレス上に横たわらなければならないから、その測定が煩わしいということがあり、また被測定者が測定用マットレス上に横たわったときの圧力分布は、測定用マットレス上における被測定者の位置などによって誤差が生じ易いから、正確に測定しにくいなどのことがあった。
【０００９】
【発明が解決しようとする課題】
このように、従来は被測定者が測定用マットレス上に横たわることで圧力分布を測定し、その測定に基づく圧力分布から被測定者に適した硬さのマットレスを選択するようにしていたので、その測定が煩わしいということがあったり、横たわる位置によって測定精度に誤差が生じ易いなどのことがあった。
【００１０】
この発明は、被測定者に適した硬さのマットレスを容易に、しかも精度よく選択することができるようにした寝具の選択装置を提供することにある。
【００１１】
【課題を解決するための手段】
請求項１の発明は、被測定者に適した硬さの寝具を選択する寝具の選択装置において、
立位状態の被測定者の背面の凹凸形状を測定するとともに、被測定者の身長を測定する測定手段及び被測定者の体重を測定する体重計を有する体形測定装置と、
この体形測定装置で測定された被測定者の体重と身長とから肥満度及び測定された被測定者の背面の凹凸形状から基準寸法を算出する処理部、この処理部で算出処理された上記肥満度と上記基準寸法を予め設定された設定値と比較する比較部及びこの比較部での比較に基づいて被測定者に適した硬さの寝具を選定する判定部を有する処理装置と
を具備したことを特徴とする寝具の選択装置にある。
【００１３】
請求項２の発明は、上記体形測定装置は、
上記被測定者が立つための足載せ部を有する基台と、
この基台に立設された支持体と、
この支持体の上下方向と交差する前後方向に沿って移動可能に設けられた検体フレームと、
この検体フレームを前後方向に駆動する駆動手段と、
上記検体フレームの上下方向に沿って所定間隔で、かつ前後方向に沿って移動可能に設けられ上記駆動手段によって検体フレームが前進方向に駆動されたときに先端が上記足載せ部に立った被測定者の背面に当たり、その背面の凹凸形状に応じて移動変位する複数の検体ロッドと、
上記被測定者の背面に当たって変位した上記検体ロッドの変位量を測定する測定手段と
を具備したことを特徴とする請求項１記載の寝具の選択装置にある。
【００１４】
請求項３の発明は、上記測定手段は、上記支持体の上下方向に沿って駆動可能に設けられ、上下方向に駆動されることで上記被測定者の背面に当たって変位した各検体ロッドの変位量を光学的に検出するレーザ距離計であることを特徴とする請求項２記載の寝具の選択装置にある。
【００１５】
請求項４の発明は、上記測定手段は、各検体ロッドに設けられその検体ロッドの変位量に応じて出力電圧が変化するポテンショメータであることを特徴とする請求項２記載の寝具の選択装置にある。
【００１８】
この発明によれば、立位状態で被測定者の背面形状を測定し、その測定に基づいて適した硬さの寝具を選定するため、被測定者が横たわることなく容易に、しかも適した硬さの寝具を選定することができる。
【００１９】
【発明の実施の形態】
以下、この発明の実施の形態を図面を参照して説明する。
【００２０】
図１乃至図７はこの発明の第１の実施の形態を示し、図１（ａ），（ｂ）に示すこの発明の体形測定装置１は矩形状の基台２を備えている。この基台２の上面には、側面形状がＬ字状をなした一対の取付具３が基台２の長手方向（前後方向）に沿って所定間隔で離間して固着され、さらに基台２の前端側には足載せ部としての体重計４が配設されている。この体重計４は後述するごとく測定した被測定者Ｍの体重を電気信号に変換して出力できるようになっている。
【００２１】
上記基台２上には支持体５が立設されている。この支持体５は中空帯状部材をほぼ逆Ｕ字状に曲成してなり、その一対の下端部を上記取付具３にそれぞれ連結固定してほぼ垂直に立設されている。
【００２２】
上記支持体５の前後方向と交差する一方の側面の上部と下部にはガイド軸６が前後方向に沿ってほぼ水平に架設されている。これらガイド軸６には矩形枠状の検体フレーム７が前後方向に沿って移動可能に支持されている。
【００２３】
つまり、図３に示すように、上記検体フレーム７の上端側と下端側との両側には上記ガイド軸６よりも大径な通孔８がそれぞれ穿設され、この通孔８に対応する検体フレーム７の両側内面には上記ガイド軸６にスライド自在に外嵌するブッシュ９がそれぞれ固着されている。
【００２４】
上記検体フレーム７の両側の一対のガイド軸６の間の部分には、図１（ａ），（ｂ）に示すように上下方向に所定間隔で、しかも両側において対応する位置にそれぞれガイド孔１１が形成されている。この実施の形態では、上記ガイド孔１１は検体フレーム７の上下方向に１５ｍｍ間隔で形成されている。
【００２５】
検体フレーム７の両側の上下方向において対応する一対のガイド孔１１にはそれぞれ検体ロッド１２が移動可能に挿通されている。図４に示すように、この検体ロッド１２の前端には樹脂製の押圧部材１３が取着され、後端にはこの検体ロッド１２が検体フレーム７の前後方向に沿って移動したときの変位量を測定するために利用される検知部材１４が取着されている。この検知部材１４は上記検体ロッド１２よりも大きな円盤状で、しかも後述するごとく照射されるレーザ光を反射し易い材料によって形成されている。
【００２６】
なお、検体ロッド１２の検体フレーム７内に位置する中途部にはストッパ１２ａが設けられている。検体ロッド１２を前進方向へスライドさせて上記ストッパ１２ａを検体フレーム７の前端側の内面に当てることで、各検体ロッド１２が上記検体フレーム７の前端面側から突出する長さを一定にできるようになっている。
【００２７】
上記支持体６の高さ方向中途部には上記検体フレーム７を前後方向に駆動する第１の駆動手段１５が配設されている。この第１の駆動手段１５は、図４に示すように上記支持体５の幅方向に沿って架設された架台１６を有する。この架台１６の一端側には第１の駆動源１７が設けられ、この第１の駆動源１７の出力軸１８にはねじ軸１９の基端が連結されている。このねじ軸１９の先端部は上記架台１６に回転自在に支持されている。
【００２８】
上記ねじ軸１９にはナット体２１が螺合されている。このナット体２１は上記検体フレーム７の前後方向に沿って架設された帯状部材２２に連結部材２２ａを介して連結されている。したがって、上記第１の駆動源１７が作動してねじ軸１９が回転駆動されると、このねじ軸１９に沿って上記ナット体２１が移動するから、この移動に上記検体フレーム７が連動する。つまり検体フレーム７は支持体６の前後方向に沿って駆動されるようになっている。
【００２９】
なお、上記架台１６には、上記ナット体２１とともに移動する連結部材２２ａによって作動させられることで、検体フレーム７の前進限を検出する第１のリミットスイッチ２３と、後退限を検出する第２のリミットスイッチ２４が設けられている。そして、これらリミットスイッチからの信号によって上記第１の駆動源１７の作動が停止されようになっている。
【００３０】
図１（ａ）と図２に示すように、上記支持体５の後端側の上部と下部にはそれぞれ帯状の支持部材２５が一端を固着して後方に延出されている。これら一対の支持部材２５には第２の駆動手段２６が設けられている。この第２の駆動手段２６は、上記一対の支持部材２５に上下端が支持されるとともに前後方向に沿って所定間隔で離間して設けられた一対のガイド軸２７を有する。これらガイド軸２７の間にはねじ軸２８が上下端を上記一対の支持部材２５に回転自在に支持されて設けられている。
【００３１】
このねじ軸２８の下端は下側の支持部材２５の下面側に設けられた第２の駆動源２９の駆動軸３１に連結されている。上記ねじ軸２８にはナット体３２が螺合されている。このナット体３２には上記一対のガイド軸２７に両端部がスライド自在に支持された可動部材３３が取り付けられている。したがって、上記第２の駆動源２９が作動してねじ軸２８が回転駆動されれば、上記可動部材３３はガイド軸２７に沿って上下方向に駆動されるようになっている。
【００３２】
上記可動部材３３の後端には測定手段としてのレーザ距離計３５が設けられている。このレーザ距離計３５は上記検体ロッド１２の後端に設けられた検知部材１４に向けて測定用のレーザ光を出射し、上記検知部材１４からの反射光を検知することで上記検知部材１４の位置、つまり検体ロッド１２の検知フレーム７の前後方向に沿う移動量を測定できるようになっている。
【００３３】
図２と図４に示すように、上記可動部材３３の前端にはマーカ３６が設けられ、このマーカ３６と上記支持体６の後端面との間には帯状の位置認識プレート３７が上下方向に沿って配置されている。この位置認識プレート３７には図１（ａ），（ｂ）に示すように上下方向に沿って複数の認識孔３８が上記検体ロッド１２と同じ高さ位置に形成されている。上記マーカ３６は上記位置認識プレート３７を光学的に上下方向に走査して上記認識孔３８を検出する。そして、認識孔３８を検出したときにその信号を上記支持体６の下端部に設けられた後述する処理装置５１に入力するようになっている。
【００３４】
上記処理装置５１はマーカ３６が認識孔３８を検知した検出信号に同期して上記レーザ距離計３５が測定した距離を認識するようになっている。つまり、処理装置５１はマーカ３６からの検知信号によって上記レーザ距離計３５の信号を選択処理し、検体ロッド１２だけの前後方向の変位量を確実に認識する。
【００３５】
図１に示すように、上記支持体６の一側面で、上記検知フレーム７の側方には、上下方向に沿って帯状の縦部材４１が架設されている。この縦部材４１の中途部には第１のスイッチ４２と第２のスイッチ４３とが設けられている。第１のスイッチ４２は第１の駆動源１７を正転方向へ作動させて検体フレーム７を前進方向へ駆動し、第２のスイッチ４３は逆転方向へ作動させて後退方向へ駆動するようになっている。
【００３６】
なお、上記検体フレーム７が前進限まで駆動されて第１のリミットスイッチ２３を作動させると、上記第１の駆動源１７が停止するとともに第２の駆動源２９が正転方向に作動してねじ軸２８を回転し、可動部材３３をねじ軸２８の上端部から下端部へ駆動する。その時、同時にレーザ距離計３５及びマーカ３６が作動して検体ロッド１２の変位量を検出するようになっている。
【００３７】
上記処理装置５１は、図５に示すように処理部５２を有し、この処理部５２には上記レーザ距離計３５からの測定信号、マーカ３６からの検出信号、上記体重計４からの測定信号などが入力されるようになっている。
【００３８】
上記処理部５２で後述するごとく処理された処理信号は比較部５３に入力される。この比較部５３では、上記処理信号と、キーボード５４によって記憶部５５に入力された設定値とが比較される。比較部５３での比較の結果は判定部５６で判定され、その判定結果はモニタ５７に表示されるようになっている。
【００３９】
つぎに、上記構成の体形測定装置１を用いて被測定者Ｍの背面の凹凸形状を測定し、その測定結果によって被測定者Ｍに適した寝具としてのマットレスを選択する手順を説明する。
【００４０】
まず、図６（ａ）に示すように、被測定者Ｍが背面を検体ロッド１２の先端側に向けて基台２の体重計４上に立ったならば、第１のスイッチ４２を操作して検体フレーム７を前進方向へ駆動する。検体フレーム７が前進方向へ駆動されると、この検体フレーム７に保持された検体ロッド１２も一体的に移動するから、図６（ｂ）に示すように各検体ロッド１２の先端が被測定者Ｍの背面に当接し、その背面の凹凸形状に応じて前後方向に相対的に変位する。
【００４１】
上記検体フレーム７が前進限まで駆動されて第１のリミットスイッチ２３を作動させると、その信号によって第２の駆動源２９が作動してねじ軸２８を回転し、レーザ距離計３５、マーカ３６を作動させながら可動部材３３を上記ねじ軸２８の上方から下方へ移動させる。
【００４２】
可動部材３３が上方から下方へ移動することで、各検体ロッド１２の前後方向の変位量が測定され、その測定信号が処理装置５１へ入力される。処理装置５１は、検体ロッド１２からの検出信号を処理部５２で処理して被測定者Ｍの背面形状を求めてその形状Ａを図７に示すようにモニタ５７に表示するとともに、その背面形状から同図に示すＬ１，Ｌ２およびＬ３の基準寸法を算出する。また、被測定者Ｍの身長となるＨの高さと、体重計４からの体重とによって被測定者Ｍの肥満度（ＢＭＩ）を算出する。ＢＭＩは身長をａ，体重をｂとすると、
ＢＭＩ＝ｂ／ａ２
で求められ、上記モニタ５７に表示される。通常、ＢＭＩは２０以下が痩せ型、２０〜２４が普通、２４〜２６．５がやや肥満、２６．５以上が肥満であるとされている。
【００４３】
上記Ｌ１は測定点ｅにおける背部の最大突出点ｐと、測定点ｇにおける臀部の最大突出点ｔとを結ぶ接線に対する測定点ｆにおける腰部の凹み量で、この凹み量は測定点ｆにおけるｓ点とｒ点との差によって求めることができる。なお、測定点ｆは腰部の最大凹み位置のｓ点から設定される。
【００４４】
上記Ｌ２は背部の突出量で、測定点ｅにおけるｑ点とｐ点との差から求められる。ｑ点は、被測定者Ｍの頚部を測定した測定点ｄでのｏ点と上記ｓ点とを結ぶ接線と、上記測定点ｅとの交点である。測定点ｅは背部の最大突出点ｐ点から設定される。
【００４５】
上記Ｌ３は、臀部の測定点ｇにおける最大突出点をｔとし、このｔ点と上記ｐ点とを結ぶ接線が頭部の測定点ｃと交差する点をｍとすると、このｍ点と頭部の最大突出点ｎとの間の距離である。つまり、頭部の高さで、枕の高さを選定するときに必要なデータであって、マットレスの硬さを選定するデータとしては必要ない。
【００４６】
また、各測定点ｃ，ｄ，ｅ，ｆ，ｇにおける原点（検出ロッド１２の変位量０の位置）から最大突出点あるいは最大凹み点までの寸法は同図にｈ，ｉ，ｊ，ｋ，ｌで示す値として算出される。
【００４７】
このようにして処理部５２で処理算出された基準寸法Ｌ１，Ｌ２と、ＢＭＩとが比較部５３において記憶部４５から入力された設定値と比較される。つまり、予め多くの被測定者の基準寸法Ｌ１，Ｌ２と、ＢＭＩとを測定し、これら被測定者に硬さの異なる３つのマットレスＸ〜Ｚにそれぞれ寝てもらい、どの硬さのマットレスが最適であるかを判断してもらう。そして、最適な硬さのマットレスと基準寸法Ｌ１，Ｌ２及びＢＭＩとを関係づけたデータを上記記憶部５５に入力しておく。なお、マットレスの硬さはＸを１００とすると、Ｙは８０、Ｚは６０で、順次軟らかくなる。
【００４８】
それによって、被測定者Ｍの測定データが処理部５２で処理されて比較部５３で予め設定された設定値と比較されることで、その被測定者Ｍに適した硬さのマットレスを選定することができる。以下に、ＢＭＩ，Ｌ１，Ｌ２の値と、被測定者Ｍが自分に適した硬さのマットレスの硬さを実際に選択してもらった結果を示す。
【００４９】
判定基準をＢＩＭだけとすると、
ＢＭＩ＜２０の場合、マットレスはＺ
２０≦ＢＭＩ≦２４の場合、マットレスはＺ、Ｙ
２４≦ＢＭＩ≦２６．５の場合、マットレスはＹ、Ｘ
２６．５＜ＢＭＩの場合、マットレスはＸ
であった。
【００５０】
判定基準をＬ１だけとすると、
Ｌ１＜３．０の場合、マットレスはＸ
３．０＜Ｌ１＜３．５の場合、マットレスはＹ
３．５＜Ｌ１の場合、マットレスはＺ
であった。
【００５１】
判定基準をＬ２だけとすると、
Ｌ２＜４．５の場合、マットレスはＸ
４．５＜Ｌ２＜５．０の場合、マットレスはＹ
５．０＜Ｌ２の場合、マットレスはＺ
であった。
【００５２】
したがって、たとえば被測定者Ｍの測定データからＢＭＩではマットレスの硬さはＹあるいはＺがよく、Ｌ１からはＹがよく、さらにＬ２からはＹがよいとなった場合、総合的には被測定者Ｍには硬さがＹのマットレスがよいとの判定となる。
【００５３】
被測定者Ｍの基準寸法Ｌ１，Ｌ２と、ＢＭＩとから総合的にこの被測定者Ｍに最適な硬さのマットレスを選択したが、Ｌ１，Ｌ２と、ＢＭＩのそれぞれ個別のデータによっても、これらの個別データを、上記記憶部５５に記憶された個別データと比較することで、被測定者Ｍに適した硬さのマットレスを選定することができる。
【００５４】
さらに、被測定者Ｍの基準寸法Ｌ１，Ｌ２だけを、記憶部５５に記憶された基準データと比較し、肥満度ＢＭＩを参考とせずに、被測定者Ｍに適した硬さのマットレスを選定することができる。
【００５５】
つぎに、この発明の第２の実施の形態を図９乃至図１２を参照して説明する。この第２の実施の形態は検体ロッド１２の変位量を測定する測定手段の変形例である。なお、上記第１の実施の形態と同一部分には同一記号を付して説明を省略する。
【００５６】
すなわち、図８と図９に示すように検体フレーム７は支持体５の枠内に設けられ、その上部と下部とが上記支持体５の幅方向に沿って架設されたガイド軸６にスライド自在に支持されている。検体ロッド１２は上記検体フレーム７の移動方向、つまり前後方向両側に形成されたガイド孔１１に移動可能に支持されているとともに、先端部分は上記支持体５の前端側の側辺部に形成されたガイド孔５ａに移動可能に通されてこの支持体５の前面側に突出している。
【００５７】
上記支持体５の開放した両側面は、図８に示すように全体にわたって閉塞板６１により閉塞されている。一方の閉塞板６１の内面には、図８および図１０（ａ）に示すように各検体ロッド１２と対応する位置にそれぞれケース６２が取り付けられている。このケース６２は図１０（ｂ）に示すように接合された下ケース６２ａと上ケース６２ｂとから形成されていて、その内部には外周面に螺旋溝６３が形成された駆動軸６４が軸線を上記検体ロッド１２と平行にして回転自在に支持されている。
【００５８】
上記駆動軸６４にはスライダ６５が上記ケース６２によって回転が阻止された状態でスライド自在に設けられている。このスライダ６４には図１０（ｂ）に示すように上記螺旋溝６３に係合する突起６６が突設されているとともに、上記ケース６２の上ケース６２ｂの長手方向に沿って形成された開口部６７から突出する操作摘み６８が設けられている。
【００５９】
上記スライダ６５の操作摘み６８は上記検体ロッド１２の中途部に取着された連動部材６９に形成された係合溝７１に係合している。したがって、上記検体ロッド１２が軸方向に移動し、その移動に上記連動部材６９を介してスライダ６５が連動すると、上記駆動軸６４が回転されるようになっている。なお、連動部材６９の両側には検体ロッド１２の軸方向に沿うスライドの前進限と後退限とを規定する一対のストッパ７０が設けられている。
【００６０】
上記ケース６２の一端部内には上記駆動軸６４の回転に連動して出力電圧が変化するポテンシャルメータ７２が設けられている。つまり、このポテンシャルメータ７２は、図１０（ａ）に示すように上記駆動軸６４に連結されているとともに駆動軸６４に形成された螺旋溝６３に比べて十分に小さなピッチの螺旋が形成された螺旋軸７３と、この螺旋軸７３に螺合されたブラシ７４と、このブラシ７４が接触する電気抵抗７５ａおよびこの電気抵抗７５ａに電気的に接続された端子７５ｂを有する端子板７５とから構成されている。
【００６１】
上記検体ロッド１２が移動して駆動軸６４が回転すると、この駆動軸６４の回転に上記螺旋軸７３が連動し、上記ブラシ７４が電気抵抗７５ａに接触しながら移動する。したがって、上記電気抵抗７５ａに所定の電圧を印加しておけば、上記ブラシ７４の移動に応じて上記端子５７ｂの電圧値が変化するようになっている。つまり、検体ロッド１２の移動量に応じて上記端子５７ｂの電圧値が変化するようになっている。
【００６２】
図８に示すように、上記端子５７ｂは上記閉塞板６１に設けられた配線基板７６と電気的に接続され、この配線基板７６を介して上記ポテンシャルメータ７２に電圧を印加したり、端子５７ｂに出力される電圧値を処理装置５１に入力できるようになっている。図１２は処理装置５１のブロック図で、処理部５２には検体ロッド１２のスライドによって変化する上記ポテンシャルメータ７２からの電圧値が入力されるようになっている。
【００６３】
上記処理部５２ではポテンシャルメータ７２からの電圧値から各検出ロッド１２の移動量、つまり被測定者Ｍの背面形状を求めるようになっている。
【００６４】
なお、この実施の形態では図９に示すように、処理装置５１は基台２上に設けられ、また検体フレーム７を駆動するための第１、第２のスイッチ４３，４３は閉塞板６１の外面に設けられている。また、検体フレーム７を駆動する第１の駆動手段１５は、この検体フレーム７のか右方に配設されている。
【００６５】
このような構成の体形測定装置によれば、上記第１の実施の形態の体形測定装置と同様、被測定者Ｍの背面の凹凸形状を測定し、その測定に基づいて被測定者Ｍに適した硬さの寝具を選択することができる。
【００６６】
しかも、第１の実施の形態のようにレーザ距離計３５を用いず、ポテンシャルメータ７２によって検体ロッド１２の変位量を測定するようにした。ポテンシャルメータ７２は検体ロッド１２と平行に配置することができる。そのため、レーザ距離計３５を検体ロッド１２と直列に配置しなければならなかった第１の実施の形態の構成に比べて検体ロッド１２の移動方向に沿う前後方向の寸法を小さくすることができる。つまり、装置の小型化を計ることができる。
【００６７】
この発明は上記一実施の形態に限定されず、種々変形可能である。たとえば、寝具としてはスプリングマットレスやウレタンフォーム製のマットレスさらには他のクッション材料によって作られたマットレスなどであってもよく、要は被測定者を弾性的に支持する構成であれば、この発明を適用することができる。
【００６８】
また、この発明ではマットレスの硬さを３つにし、そのうちから被測定者に適した硬さのマットレスを選定するようにしたが、マットレスの硬さを４つ以上とすれば、より一層、被測定者に適した硬さのマットレスを選定することができること、勿論である。
【００６９】
被測定者に適した硬さのマットレスは、そのマットレスが全体にわたって所定の硬さを有するものであってもよいが、図１３（ａ），（ｂ）に示すようにマットレス８０の一方の面側と他方の面側とのどちらを使用するかによって利用者Ｍに与える硬さが異なり、しかもその一方の面と他方の面とで他の部分に比べて硬い部分８１が部分的に、しかも異なる位置、具体的には一方の面には利用者Ｍの臀部に対応する部分に設けられ、他方の面には腰部と大腿部に設けられたマットレス８０であってもよい。
【００７０】
このようなマットレス８０によれば、利用者Ｍが仰臥して就寝することが多い場合には、図１３（ａ）に示すようにマットレス８０の一方の面を利用すれば、臀部の落ち込みを少なくすることができ、利用者Ｍが横臥状態で利用することが多い場合には他方の面を上にして利用すれば、腰部と大腿部が支持されることで、身体が下方へ大きく湾曲するのを防止できる。
【００７１】
つまり、マットレス８０の一方の面と他方の面とに形成される硬い部分８１の硬さを設定することで、仰臥して就寝することが多い利用者や横臥して利用することが多い利用者にそれぞれ対応することができる。
【００７２】
さらに、検体ロッドの変位量を測定する手段はレーザ距離計やポテンシャルメータに限られず、たとえば各検体ロッドを磁気式のリニアスケールとすることで、この検体ロッドの変位量を電気的に測定するようにしてもよい。
【００７３】
【発明の効果】
この発明によれば、立位状態で被測定者の背面形状を測定し、その測定に基づいて被測定者に適した硬さの寝具を選定することができるようにした。
【００７４】
そのため、従来のように被測定者が測定用マットレス上に横たわることなく、しかも測定誤差が生じるようなことなく正確に、被測定者の背面形状に応じた硬さの寝具を選定することができる。
【図面の簡単な説明】
【図１】（ａ）この発明の第１の実施の形態を示す体形測定装置の斜視図、（ｂ）は同じく支持体と検体フレームとを示す斜視図。
【図２】同じく支持体と検体フレームとを示す側面図。
【図３】同じく図２のＩＩＩ−ＩＩＩ線に沿う断面図。
【図４】同じく図２のＩＶ−ＩＶ線に沿う断面図。
【図５】同じく処理装置のブロック図。
【図６】（ａ）は同じく被測定者の背面を測定する前の状態を示す側面図、（ｂ）は同じく測定している状態の側面図。
【図７】同じくモニタに表示される画面の説明図。
【図８】この発明の第２の実施の形態の検体フレームの一部を拡大して示す斜視図。
【図９】同じく全体構成の斜視図。
【図１０】（ａ）は同じく検体ロッドとポテンシャルメータとを示す平面図、（ｂ）は同じくポテンシャルメータの拡大断面図。
【図１１】（ａ）は同じく被測定者の背面を測定する前の状態を示す側面図、（ｂ）は同じく測定している状態の側面図。
【図１２】同じく処理装置のブロック図。
【図１３】（ａ），（ｂ）は利用者の寝姿勢によって選択する場合のマットレスの硬さの設定の説明図。
【符号の説明】
２…基台
４…体重計（足載せ部）
６…支持体
７…検体フレーム
１２…検体ロッド
１５…駆動手段（第１の）
３５…レーザ距離計（測定手段）
５１…処理装置
７２…ポテンシャルメータ（測定手段）
【図１】
0003845612.tif 000002
【図２】
0003845612.tif 000003
【図３】
0003845612.tif 000004
【図４】
0003845612.tif 000005
【図５】
0003845612.tif 000006
【図６】
0003845612.tif 000007
【図７】
0003845612.tif 000008
【図８】
0003845612.tif 000009
【図９】
0003845612.tif 000010
【図１０】
0003845612.tif 000011
【図１１】
0003845612.tif 000012
【図１２】
0003845612.tif 000013
【図１３】
0003845612.tif 000014